(57)【特許請求の範囲】
【請求項１】
ウォッシャ液を貯蔵するタンクと、このタンク内のウォッシャ液を外部へ供給するポンプと、このポンプから供給された前記ウォッシャ液を洗浄面に噴射させる液体噴射口を形成した２つのウォッシャノズルとを備えたウォッシャ装置において、前記一方のウォッシャノズルのノズルハウジングには、前記ウォッシャ液を導入する流入路と該流入路から弁室を介して前記ウォッシャ液を２つに分配して前記液体噴射口に前記ウォッシャ液を供給する液体供給流路及び流出路をそれぞれ形成し、これら流入路と液体供給流路及び流出路を前記弁室内に収納された逆止弁で開閉自在にし、かつ前記ポンプと前記一方のウォッシャノズルの流入路をホースで接続すると共に、前記一方のウォッシャノズルの流出路と前記他方のウォッシャノズルの流入路をホースで接続したことを特徴とするウォッシャ装置であって、
前記一方のウォッシャノズルの前記弁室を、弁座部を有した略円筒状の弁ケースと該弁ケースの下面開口部を覆う蓋体とで密閉形成し、前記弁ケースの前記弁座部の上側には、前記流入路を形成する流入管と前記流出路を形成する流出管とを略円筒状の仕切壁を介して一直線状に延びるように一体突出形成し、前記弁ケースの前記弁座部に前記流入路と液体供給流路を連通させる連通口を形成すると共に、前記流入路と前記流出路を連通させる連通口を形成し、これら流入路と液体供給流路の連通口と前記流入路と流出路の連通口を前記逆止弁の弁体で閉塞・開放自在にしたことを特徴とするウォッシャ装置。
【発明の詳細な説明】
【技術分野】
【０００１】
本発明は、例えば、自動車用のウォッシャ液（洗浄液）をフロントウインドシールドガラス等の洗浄面に噴射させるウォッシャ装置に関する。
【背景技術】
【０００２】
この種のウォッシャ装置として、図４及び図５に示すものがある（例えば、特許文献１参照。）。
【０００３】
このウォッシャ装置１は、図４に示すように、ウォッシャ液（洗浄液）Ｗを貯蔵するタンク２と、このタンク２にホース３を介して接続され、該タンク２内のウォッシャ液Ｗをノズル側（外部）へ供給するポンプＰと、このポンプＰにホース３Ａを介して接続され、該ポンプＰから供給されたウォッシャ液Ｗを２つに分配するウォッシャ液分配ジョイント５と、このウォッシャ液分配ジョイント５の一対の流出管６Ｂ，６Ｃにホース３Ｂ，３Ｃを介して接続され、該ウォッシャ液分配ジョイント５から分配されたウォッシャ液Ｗを図示しないフロントウインドシールドガラス等の洗浄面に噴射させる左右一対のウォッシャノズル４Ｌ，４Ｒとを備えている。
【０００４】
また、図５に示すように、ウォッシャ液分配ジョイント５は、ポンプＰから供給されるウォッシャ液Ｗをホース３Ａを介して導入する流入管６Ａと該流入管６Ａから弁室Ｑを介してウォッシャ液Ｗを２つに分配して左右一対のウォッシャノズル４Ｌ，４Ｒに供給する一対の流出管６Ｂ，６Ｃをそれぞれ一体形成したＴ字形のジョイント本体６と、弁室Ｑ内に収納され、流入管６Ａの連通口６ａと一対の流出管６Ｂ，６Ｃの各連通口６ｂ，６ｃを開閉する逆止弁７と、この逆止弁７を流入管６Ａの連通口６ａと各流出管６Ｂ，６Ｃの連通口６ｂ，６ｃをそれぞれ閉塞する方向に付勢する圧縮コイルスプリング８と、この圧縮コイルスプリング８を押さえると共に弁室Ｑの上面開口部を密閉する蓋体９とを備えている。
【０００５】
【特許文献１】実開平４−５２１３４号公報
【発明の開示】
【発明が解決しようとする課題】
【０００６】
しかしながら、前記従来のウォッシャ装置１では、ポンプＰとウォッシャ液分配ジョイント５のジョイント本体６の流入管６Ａをホース３Ａで接続し、かつ、ジョイント本体６の一対の流出管６Ｂ，６Ｃと左右一対のウォッシャノズル４Ｌ，４Ｒをホース３Ｂ，３Ｃでそれぞれ接続しなければならなかったため、部品点数及び組み付け工数が多くなり、コスト高になった。
【０００７】
そこで、本発明は、前記した課題を解決すべくなされたものであり、ホースの部品点数及び組み付け工数を削減して低コスト化を図ることができるウォッシャ装置を提供することを目的とする。
【課題を解決するための手段】
【０００８】
請求項１の発明は、ウォッシャ液を貯蔵するタンクと、このタンク内のウォッシャ液を外部へ供給するポンプと、このポンプから供給された前記ウォッシャ液を洗浄面に噴射させる液体噴射口を形成した２つのウォッシャノズルとを備えたウォッシャ装置において、前記一方のウォッシャノズルのノズルハウジングには、前記ウォッシャ液を導入する流入路と該流入路から弁室を介して前記ウォッシャ液を２つに分配して前記液体噴射口に前記ウォッシャ液を供給する液体供給流路及び流出路をそれぞれ形成し、これら流入路と液体供給流路及び流出路を前記弁室内に収納された逆止弁で開閉自在にし、かつ前記ポンプと前記一方のウォッシャノズルの流入路をホースで接続すると共に、前記一方のウォッシャノズルの流出路と前記他方のウォッシャノズルの流入路をホースで接続したことを特徴とするウォッシャ装置であって、前記一方のウォッシャノズルの前記弁室を、弁座部を有した略円筒状の弁ケースと該弁ケースの下面開口部を覆う蓋体とで密閉形成し、前記弁ケースの前記弁座部の上側には、前記流入路を形成する流入管と前記流出路を形成する流出管とを略円筒状の仕切壁を介して一直線状に延びるように一体突出形成し、前記弁ケースの前記弁座部に前記流入路と液体供給流路を連通させる連通口を形成すると共に、前記流入路と前記流出路を連通させる連通口を形成し、これら流入路と液体供給流路の連通口と前記流入路と流出路の連通口を前記逆止弁の弁体で閉塞・開放自在にしたことを特徴とする。
【発明の効果】
【００１０】
以上説明したように、請求項１の発明によれば、一方のウォッシャノズルのノズルハウジングに他方のウォッシャノズルにウォッシャ液を供給する流出路を形成したことにより、従来のものに比べて、ホースの部品点数及び組み付け工数を削減してその組み付け作業性を向上させることができ、低コスト化を図ることができる。さらに、流入路と液体供給流路及び流出路を弁室内に収納された逆止弁で開閉自在にしたことにより、ウォッシャノズルの１つ逆止弁で２つのウォッシャノズルに供給されたウォッシャ液の逆流を簡便な構造で防止することができる。
また、一方のウォッシャノズルの弁室を、弁座部を有した略円筒状の弁ケースと該弁ケースの下面開口部を覆う蓋体とで密閉形成し、この略円筒状の弁ケースの弁座部に前記流入路と液体供給流路を連通させる連通口を形成すると共に、前記流入路と前記流出路を連通させる連通口を形成し、これら流入路と液体供給流路の連通口と前記流入路と流出路の連通口を前記逆止弁の弁体で閉塞・開放自在にしたことで、一方のウォッシャノズルに簡便な構成でウォッシャ液の分配機能と逆止弁を持たせることができる。
【発明を実施するための最良の形態】
【００１２】
以下、本発明の一実施形態を図面に基づいて説明する。
【００１３】
図１は本発明の一実施形態のウォッシャ装置を示す構成図、図２は同ウォッシャ装置に用いられるウォッシャ液分配機能を有したウォッシャノズルの逆止弁の閉状態を示す断面図、図３は同ウォッシャノズルの逆止弁の開状態を示す断面図である。
【００１４】
図１に示すように、ウォッシャ装置１０は、ウォッシャ液（洗浄液）Ｗを貯蔵するタンク１１と、このタンク１１内のウォッシャ液Ｗをホース１２を介してノズル側（外部）へ供給するポンプ１３と、このポンプ１３から供給されたウォッシャ液Ｗを図示しないフロントウインドシールドガラス等の洗浄面に噴射させる２つのウォッシャノズル２０，２０′とを備えている。このポンプ１３側に位置する一方のウォッシャノズル２０は、ポンプ１３から供給されたウォッシャ液Ｗを該一方のウォッシャノズル２０のノズルハウジング２１の液体噴射口２１ａと他方のウォッシャノズル２０′の２つに分配するウォッシャ液分配機能を有している。そして、このウォッシャ液分配機能を有した一方のウォッシャノズル２０に、ホース１４，１５を介してポンプ１３と他方のウォッシャノズル２０′とが直列に接続されている。
【００１５】
図１〜図３に示すように、一方のウォッシャノズル２０は、ポンプ１３から供給されるウォッシャ液Ｗを導入する流入路Ｇになる略円筒状の流入管２２と、この流入管２２から弁室Ｒになる略円筒状の弁ケース２３及び蓋体２４を介してウォッシャ液Ｗを２つに分配して液体噴射口２１ａに供給する液体供給流路２５及び他方のウォッシャノズル（外部）２０′にそれぞれ供給する流出路Ｓになる略円筒状の流出管２６をそれぞれ形成した合成樹脂製のノズルハウジング２１と、弁室Ｒ内に収納され、流入路Ｇと液体供給流路２５及び流出路Ｓを開閉する逆止弁３０と、この逆止弁３０を流入路Ｇと液体供給流路２５及び流出路Ｓを閉塞する方向に付勢する圧縮コイルスプリング（弾性体）３３とを備えている。
【００１６】
図２及び図３に示すように、弁室Ｒは、弁座部２３ａを有した略円筒状の弁ケース２３と、この弁ケース２３の下面開口部２３ｂを覆う合成樹脂製で略円形皿状の蓋体２４とで密閉された空間になるように形成されている。また、弁ケース２３の弁座部２３ａの上側には、流入路Ｇを形成する流入管２２と流出路Ｓを形成する流出管２６とを円筒状の仕切壁２７を介して一直線状に延びるように一体突出形成してある。
【００１７】
さらに、弁ケース２３の弁座部２３ａには、流入管２２の流入路Ｇと液体供給流路２５を連通させる円形状の連通口２５ａと、流入管２２の流入路Ｇと流出管２６の流出路Ｓを連通させるＣ字状の連通口２６ａをそれぞれ形成してある。これら流入管２２の流入路Ｇと液体供給流路２５との円形状の連通口２５ａと、流入管２２の流入路Ｇと流出管２６の流出路ＳとのＣ字状の連通口２６ａとは、後述する逆止弁３０の弁体３２で閉塞・開放されるようになっている。尚、蓋体２４は弁ケース２３の下面開口部２３ｂに一体形成されたフック部２３ｃに係合凹部２４ｃを係止させることにより固定されている。
【００１８】
また、図１〜図３に示すように、各ウォッシャノズル２０，２０′の流入管２２，２２′の導入口２２ｂ，２２ｂ′の端部には、ホース係止用の係止段部２２ｃ，２２ｃ′を形成してある。さらに、一方のウォッシャノズル２０の流出管２６の吐出口２６ｂの端部には、ホース係止用の係止段部２６ｃを形成してある。そして、ポンプ１３と一方のウォッシャノズル２０の流入管２２はホース１４で接続され、また、一方のウォッシャノズル２０の流出管２６と他方のウォッシャノズル２０′の流入管２２′はホース１５で接続されている。
【００１９】
図２及び図３に示すように、逆止弁３０は、合成樹脂製で厚肉円筒状の本体３１と、この本体３１の上側大径部３１ａに嵌め込まれて弁ケース２３の下端と蓋体２４との間に係止された円筒状の蛇腹部３２ａを有したゴム製の弁体３２とで構成されている。そして、本体３１の下面に円環溝状に形成された凹部３１ｂと蓋体２４の上面に円環状に形成された凹部２４ｂとの間に圧縮コイルスプリング３３を介在してある。
【００２０】
さらに、図１に示すように、他方のウォッシャノズル２０′は、一方のウォッシャノズル２０の流出管２６からホース１５を介して供給されるウォッシャ液Ｗを導入する流入路Ｇになる略円筒状の流入管２２′と、この流入管２２′の端部から略直角に折れ曲がって液体噴射口２１ａ′へ連通する液体供給流路２５とをそれぞれ形成した合成樹脂製のノズルハウジング２１′とを備えている。
【００２１】
以上実施形態のウォッシャ装置１０によれば、一方のウォッシャノズル２０は、ポンプ１３から供給されるウォッシャ液Ｗを該一方のウォッシャノズル２０のノズルハウジングの液体噴射口２１ａと他方のウォッシャノズル２０′に分配するものであり、その使用時には、ポンプ１３から一方のウォッシャノズル２０の流入管２２に導入されるウォッシャ液Ｗの圧力により圧縮コイルスプリング３３の付勢力に抗して逆止弁３０が流入管２２と液体供給流路２５との円形状の連通口２５ａ、及び、流入管２２と流出管２６とのＣ字状の連通口２６ａを開く方向に移動する。これにより、図３に矢印で示すように、ウォッシャ液Ｗは、各連通口２５ａ，２６ａを経て液体供給流路２５と流出管２６に分岐してそれぞれ流れ、各ウォッシャノズル２０，２０′の各液体噴射口２１ａ，２１ａ′からそれぞれ噴射される。
【００２２】
また、非使用時（逆止弁３０の作動停止時）には、図２に示すように、一方のウォッシャノズル２０の圧縮コイルスプリング３３の付勢力により逆止弁３０の弁体３２で流入管２２と液体供給流路２５との円形状の連通口２５ａ、及び、流入管２２と流出管２６とのＣ字状の連通口２６ａを確実に閉塞させることができる。即ち、一方のウォッシャノズル２０の１つの逆止弁３０で２つのウォッシャノズル２０，２０′のウォッシャ液Ｗの逆流を確実に防止することができる。また、車両走行時やボンネット開閉時に、一方のウォッシャノズル２０の流入管２２内に溜まったウォッシャ液Ｗの洩れを確実に防止することができる。
【００２３】
さらに、このウォッシャ装置１０では、一方のウォッシャノズル２０に該一方のウォッシャノズル２０のノズルハウジング２１の液体噴射口２１ａと他方のウォッシャノズル２０′の２つにウォッシャ液Ｗを分配するウォッシャ液分配機能を持たせ、このウォッシャ液分配ジョイント機能を有した一方のウォッシャノズル２０にホース１４，１５を介してポンプ１３と他方のウォッシャノズル２０′とを直列に接続したことにより、従来のものに比べて、ホースの部品点数及び組み付け工数を削減することができる。即ち、一方のウォッシャノズル２０の流出管２６と他方のウォッシャノズル２０′の流入管２２´とにホース１５を配索するだけで済むため、ウォッシャ装置１０の組み付け作業性を向上させることができると共に、全体の低コスト化を図ることができる。
【図面の簡単な説明】
【００２４】
【図１】本発明の一実施形態のウォッシャ装置を示す構成図である。
【図２】上記ウォッシャ装置に用いられるウォッシャ液分配機能を有したウォッシャノズルの逆止弁の閉状態を示す断面図である。
【図３】上記ウォッシャノズルの逆止弁の開状態を示す断面図である。
【図４】従来のウォッシャ装置の概略構成図である。
【図５】上記従来のウォッシャ装置に用いられるウォッシャ液分配ジョイントの断面図である。
【符号の説明】
【００２５】
１０  ウォッシャ装置
１１  タンク
１３  ポンプ
１４，１５  ホース
２０  一方のウォッシャノズル
２０′  他方のウォッシャノズル
２１  ノズルハウジング
２２  流入管（流入路）
２３  弁ケース（弁室）
２３ａ  弁座部
２３ｂ  下面開口部
２４  蓋体
２５  液体供給流路
２６  流出管（流出路）
２６ａ  連通口
３０  逆止弁
３２  弁体
３３  圧縮コイルスプリング（弾性体）
Ｇ  流入路
Ｒ  弁室
Ｓ  流出路
Ｗ  ウォッシャ液
【図１】
0005501551.tif 000002
【図２】
0005501551.tif 000003
【図３】
0005501551.tif 000004
【図４】
0005501551.tif 000005
【図５】
0005501551.tif 000006